【手続補正書】
【提出日】平成27年6月15日(2015.6.15)
【手続補正１】
【補正対象書類名】特許請求の範囲
【補正対象項目名】全文
【補正方法】変更
【補正の内容】
【特許請求の範囲】
【請求項１】
表面に従ってセンサ画素アレイを照射画素アレイにマッピングする方法であって、
前記センサアレイ上の複数の画素の中のそれぞれの画素を、順序付けされた１組のグループの対応するグループに割り当てることにより、グループマッピングを形成することであって、それぞれのグループは、前記照射画素アレイ上の１組のｐ個の隣接する画素として画定され、かつそれぞれの順序付けされた組はｋ個のグループを有する、グループマッピングを形成することと、２個以上のグループインデックス画像の配列を投影及び記録することにより、グループマッピングを形成することであって、それぞれのｋ個のグループの順序付けされたｋ個の組について、それぞれの投影されたグループインデックス画像は、前記グループのうちの少なくとも２つにおいては、照射画素を有さず、（ｋ−１）個未満のグループにおいては、２個から（ｐ−１）個の隣接する照射画素を有し、投影されたグループインデックス画像の前記配列は、前記ｋ個のグループのそれぞれからの照射画素を用いる、グループマッピングを形成することと、
それぞれのマルチライン画像が、それぞれのグループ内に線を投影する、少なくともｐ個のマルチライン画像を前記表面に投影及び記録することと、
前記記録されたマルチライン画像にある線を、前記グループマッピングに従って、前記投影されたマルチライン画像にある線に相関させることと、
ｋ及びｐは３に等しいか又はそれ以上の整数である前記相関を、格納、表示又は送信することと、を含む、方法。
【請求項２】
前記グループマッピングを生成することは、少なくとも第１及び第２のブロック画像を投影及び格納することをさらに含み、それぞれのブロック画像は、同時に照射されているｍ個の接触している画素のグループと、同時に通電停止されているｍ個の接触している画素のグループとによるパターンを有し、かつ前記第２のブロック画像についての前記パターンは、前記第１のブロック画像についての前記パターンとｍ／２グループだけ推移させる、請求項１に記載の方法。
【請求項３】
前記グループマッピングを形成することは、少なくとも１つの暗視野像及び少なくとも１つの平坦視野像を取得及び記録することをさらに含む、請求項１に記載の方法。
【請求項４】
前記２つ以上のグループインデックス画像の配列及びマルチライン画像を、異なる電力レベルで投影することをさらに含む、請求項１に記載の方法。
【請求項５】
表面に従ってセンサ画素アレイを照射画素アレイにマッピングする方法であって、前記方法は少なくとも部分的にコンピュータ上で実行され、
暗画像及び平坦画像を投影及び記録することにより、前記センサ画素アレイの前記応答を特徴付けることと、
前記センサアレイ上の複数の画素の中のそれぞれの画素を、順序付けされた１組のグループの対応するグループに割り当てることにより、グループマッピングを形成することであって、
（ａ）それぞれのグループインデックス画像が１個から（ｐ−１）個の隣接する照射画素を有する、１つのグループインデックス画像を、それぞれの組から一度に投影及び記録することと、前記投影及び記録を少なくともｋ回連続して繰り返すことと、
（ｂ）少なくとも第１及び第２のブロック画像を投影および記録することであって、それぞれのブロック画像が、同時に照射されているｋ個の接触している画素のグループと、同時に通電停止されているｋ個の接触している画素のグループとによるパターンを有し、かつ第２のブロック画像についての前記パターンは、前記第１のブロック画像についての前記パターンからｋ／２グループだけ推移される、投影および記録することと、により、それぞれのグループが、前記照射画素アレイ上の１組のｐ個の隣接する画素によって画定され、かつそれぞれの順序付けされた組がｋ個のグループを有する、グループマッピングを形成することと、
少なくともｐ個のマルチライン画像を前記表面に投影及び記録することであって、それぞれのマルチライン画像は、それぞれのグループ内に線を投影する、投影及び記録することと、
前記記録されたマルチライン画像の中の線を、前記グループマッピングに従って、前記投影されたマルチライン画像の中の線に相関させることと、
ｋ及びｐは２に等しいか又はそれ以上の整数である、前記相関を、格納、表示又は送信することと、を含む、方法。
【手続補正２】
【補正対象書類名】明細書
【補正対象項目名】００６０
【補正方法】変更
【補正の内容】
【００６０】
本開示の文脈内で「コンピュータでアクセス可能なメモリ」と同等である「メモリ」という用語は、格納及び画像データ上で動作するために用いられ、コンピュータシステムにアクセス可能である、あらゆる種類の一時的又はさらに永続的な記憶装置作業空間を指すことができることに留意されたい。メモリは、例えば、磁気光学式記憶などの長期記憶媒体を用いた不揮発性であることができる。代替的に、メモリは、マイクロプロセッサ又は他の制御論理プロセッサデバイスによって一時的なバッファ又は作業空間として用いられるランダムアクセスメモリ（ＲＡＭ）等の電子回路を用いて、より揮発性のある性質であることができる。表示データは、例えば、表示デバイスに直接関連付けられる一時的記憶バッファに典型的に格納され、及び表示されたデータを提供するために必要に応じて定期的に再読み込みされる。この一時的な記憶バッファもまた、この用語が本開示において使用される際、メモリと考えられることができる。メモリはまた、計算及び他の処理の中間及び最終結果を実行するまたは格納するためのデータ作業空間として用いられることもできる。コンピュータでアクセス可能なメモリは、揮発性、不揮発性、又は揮発性と不揮発性のハイブリッドな組み合わせであることができる。種々の種類のコンピュータでアクセス可能なメモリが、データを格納、処理、転送及び表示するため、並びに他の機能のためのシステム全体にわたり、異なるコンポーネント上で提供される。なお、以下に、付記として本発明の構成の一例を示す。
（付記１）
表面に従ってセンサ画素アレイを照射画素アレイにマッピングする方法であって、
前記センサアレイ上の複数の画素の中のそれぞれの画素を、順序付けされた１組のグループの対応するグループに割り当てることにより、グループマッピングを形成することであって、それぞれのグループは、前記照射画素アレイ上の１組のｐ個の隣接する画素として画定され、かつそれぞれの順序付けされた組はｋ個のグループを有する、グループマッピングを形成することと、２個以上のグループインデックス画像の配列を投影及び記録することにより、グループマッピングを形成することであって、それぞれのｋ個のグループの順序付けされたｋ個の組について、それぞれの投影されたグループインデックス画像は、前記グループのうちの少なくとも２つにおいては、照射画素を有さず、（ｋ−１）個未満のグループにおいては、２個から（ｐ−１）個の隣接する照射画素を有し、投影されたグループインデックス画像の前記配列は、前記ｋ個のグループのそれぞれからの照射画素を用いる、グループマッピングを形成することと、
それぞれのマルチライン画像が、それぞれのグループ内に線を投影する、少なくともｐ個のマルチライン画像を前記表面に投影及び記録することと、
前記記録されたマルチライン画像にある線を、前記グループマッピングに従って、前記投影されたマルチライン画像にある線に相関させることと、
ｋ及びｐは３に等しいか又はそれ以上の整数である前記相関を、格納、表示又は送信することと、を含む、方法。
（付記２）
前記格納された相関に従って、表面凹凸データを生成することをさらに含む、付記１に記載の方法。
（付記３）
前記グループマッピングを生成することは、少なくとも第１及び第２のブロック画像を投影及び格納することをさらに含み、それぞれのブロック画像は、同時に照射されているｍ個の接触している画素のグループと、同時に通電停止されているｍ個の接触している画素のグループとによるパターンを有し、かつ前記第２のブロック画像についての前記パターンは、前記第１のブロック画像についての前記パターンとｍ／２グループだけ推移させる、付記１に記載の方法。
（付記４）
前記照射画素アレイは液晶デバイスである、付記１に記載の方法。
（付記５）
前記照射画素アレイは、デジタルマイクロミラーアレイデバイスである、付記１に記載の方法。
（付記６）
前記グループマッピングを形成することは、少なくとも１つの暗視野像及び少なくとも１つの平坦視野像を取得及び記録することをさらに含む、付記１に記載の方法。
（付記７）
前記表面の凹凸データに従って前記表面を表示することをさらに含む、付記２に記載の方法。
（付記８）
前記表面は歯である、付記１に記載の方法。
（付記９）
前記グループインデックス画像の前記隣接する照射された画像は、前記グループの中心の最も近くにある１つ以上の画素を含む、付記１に記載の方法。
（付記１０）
前記２つ以上のグループインデックス画像の配列及びマルチライン画像を、異なる電力レベルで投影することをさらに含む、付記１に記載の方法。
（付記１１）
表面に従ってセンサ画素アレイを照射画素アレイにマッピングする方法であって、前記方法は少なくとも部分的にコンピュータ上で実行され、
暗画像及び平坦画像を投影及び記録することにより、前記センサ画素アレイの前記応答を特徴付けることと、
前記センサアレイ上の複数の画素の中のそれぞれの画素を、順序付けされた１組のグループの対応するグループに割り当てることにより、グループマッピングを形成することであって、
（ａ）それぞれのグループインデックス画像が１個から（ｐ−１）個の隣接する照射画素を有する、１つのグループインデックス画像を、それぞれの組から一度に投影及び記録することと、前記投影及び記録を少なくともｋ回連続して繰り返すことと、
（ｂ）少なくとも第１及び第２のブロック画像を投影および記録することであって、それぞれのブロック画像が、同時に照射されているｋ個の接触している画素のグループと、同時に通電停止されているｋ個の接触している画素のグループとによるパターンを有し、かつ第２のブロック画像についての前記パターンは、前記第１のブロック画像についての前記パターンからｋ／２グループだけ推移される、投影および記録することと、により、それぞれのグループが、前記照射画素アレイ上の１組のｐ個の隣接する画素によって画定され、かつそれぞれの順序付けされた組がｋ個のグループを有する、グループマッピングを形成することと、
少なくともｐ個のマルチライン画像を前記表面に投影及び記録することであって、それぞれのマルチライン画像は、それぞれのグループ内に線を投影する、投影及び記録することと、
前記記録されたマルチライン画像の中の線を、前記グループマッピングに従って、前記投影されたマルチライン画像の中の線に相関させることと、
ｋ及びｐは２に等しいか又はそれ以上の整数である、前記相関を、格納、表示又は送信することと、を含む、方法。
（付記１２）
前記表面は歯である、付記１１に記載の方法。
（付記１３）
前記グループインデックス画像の前記隣接する照射された画素は、前記グループの中心の最も近くにある１つ以上の画素を含む、付記１１に記載の方法。
（付記１４）
前記２つ以上のグループインデックス画像の配列及びマルチライン画像を、異なる電力レベルで投影することをさらに含む、付記１１に記載の方法。
（付記１５）
前記格納された相関に従って表面の凹凸データを生成することをさらに含む、付記１１に記載の方法。
（付記１６）
前記表面の凹凸データに従って前記表面を表示することをさらに含む、付記１５に記載の方法。